(57)【特許請求の範囲】
【請求項１】
地下に形成された掘削穴に配設され、揚水装置によって揚水される地下水を濾過するための濾過機能を備えた管状のストレーナ体を、ＦＲＰ製や塩化ビニール製などの絶縁性を有する絶縁部材で構成し、この管状のストレーナ体の端部に金属製の管材を連設し、この金属製管材を、他のＦＲＰ製や塩化ビニール製などの絶縁性を有する絶縁部材で構成されたストレーナ体の端部に連設した金属製管材と継合し得る継合管として構成したことを特徴とするストレーナ。
【請求項２】
前記ストレーナ体の周面には通水孔が形成され、この通水孔が形成された外方部位には濾過体が設けられ、この濾過体はストレーナ体の長さ方向に配される第一線材と、この第一線材の外側にしてストレーナ体の周方向に巻回される第二線材とで構成されていることを特徴とする請求項１記載のストレーナ。
【発明の詳細な説明】
【０００１】
【発明の属する技術分野】
本発明は、地下に形成された掘削穴に配設され、揚水装置によって揚水される地下水を濾過するための濾過機能を設けたストレーナに関するものである。
【０００２】
【従来の技術及び発明が解決しようとする課題】
従来から、地下に形成された掘削穴に配設され、ポンプにより揚水される地下水を濾過するためのストレーナが提案されている。
【０００３】
このストレーナは、周面に通水孔が形成された金属製の管部材で構成され、この通水孔が形成された部位の周囲には、ストレーナの長さ方向に配されるまくら線と、このまくら線の外側にしてストレーナの周方向に巻回される線材とから成る濾過体（濾過機能）が配設されている。この濾過体を通過した地下水は濾過されて通水孔からストレーナ内へ入り、このストレーナ内に入った地下水は内部に配設されたポンプにより揚水される。
【０００４】
ところで、この従来から提案されるストレーナは金属製（鋼製）であり、埋設後の時間の経過とともに電蝕して交換作業が必要となってしまうが、この掘削穴内のストレーナの交換作業は厄介であるのは勿論、電蝕するたびに交換していたのではコスト面に問題があるとされる。尚、本明細書で言う電蝕とは、金属製の地下埋設管やその他の金属体が外部から直流の電流を受けて腐食する（錆びる）ことを意味する。
【０００５】
本発明は、上述の問題点に鑑み、種々の実験を繰り返し行った結果、極めて商品価値の高い画期的なストレーナを発明した。
【０００６】
【課題を解決するための手段】
添付図面を参照して本発明の要旨を説明する。
【０００７】
地下に形成された掘削穴ｈに配設され、揚水装置２によって揚水される地下水を濾過するための濾過機能を備えた管状のストレーナ体１を、ＦＲＰ製や塩化ビニール製などの絶縁性を有する絶縁部材で構成し、この管状のストレーナ体１の端部に金属製の管材３を連設し、この金属製管材３を、他のＦＲＰ製や塩化ビニール製などの絶縁性を有する絶縁部材で構成されたストレーナ体１の端部に連設した金属製管材３と継合し得る継合管として構成したことを特徴とするストレーナに係るものである。
【０００８】
また、前記ストレーナ体１の周面には通水孔１ａが形成され、この通水孔１ａが形成された外方部位には濾過体５が設けられ、この濾過体５はストレーナ体１の長さ方向に配される第一線材６と、この第一線材６の外側にしてストレーナ体１の周方向に巻回される第二線材７とで構成されていることを特徴とする請求項１記載のストレーナに係るものである。
【０００９】
【発明の実施の形態】
好適と考える本発明の実施の形態（発明をどのように実施するか）を、図面に基づいてその作用効果を示して簡単に説明する。
【００１０】
本発明は、地下に形成された掘削穴ｈへの配設後、ストレーナ体１はＦＲＰ製や塩化ビニール製などの絶縁性を有する絶縁部材で構成されている為、このストレーナ体１に地中において電蝕が起きることはない。
【００１１】
また、例えば一のストレーナ体１と他のストレーナ体１との継合部位を金属製の継合管３同志の継合とすることで、例えば単なる絶縁性を有する部材同志の継合とした場合に比し、この継合部位の強度は飛躍的に向上することになる。
【００１２】
【実施例】
図面は本発明の一実施例を図示したものであり、以下に説明する。
【００１３】
本実施例は、地下に形成された掘削穴ｈ（井戸穴）に配設され、揚水装置としてのポンプ２によって揚水される地下水を濾過するための濾過機能を設けた管状のストレーナ体１を絶縁性を有する絶縁部材（不電蝕部材）で構成したものである。
【００１４】
具体的には、ストレーナ体１は、図２に図示したようにガラス繊維織布とエポキシ樹脂とから成るＦＲＰ（繊維強化樹脂部材）を管部材１Ａにより構成されている。
【００１５】
尚、ストレーナ体１は、ＦＲＰ製に限られるものではなく、絶縁性を有する絶縁部材、例えば塩化ビニール製にするなど本実施例の特性を発揮する構成であれば適宜採用するものである。
【００１６】
また、ストレーナ体１は、その周面に縦長の通水孔１ａが多数貫通形成されており、この通水孔１ａが形成された部位の周囲には濾過体５が配設されている。
【００１７】
この濾過体５は、図２，３に図示したようにストレーナ１の外周面にして長さ方向に金属製の第一線材６としてのまくら線を所定間隔を介して複数配設し、このまくら線６の外面にしてストレーナ体１の周方向に金属製の第二線材７としての巻線を巻回することで構成される。
【００１８】
この巻線７は、図４に図示したように断面三角形状（台形状）であり、ストレーナ体１に巻回する際には、その巾狭部７ａがまくら線６に当接する状態で巻回し、且つ、隣接する巻線７同志間に所定の通水間隙Ｌが形成されるように配設されている。
【００１９】
これは、図４に図示したように隣接する巻線７同志とまくら線６との間に内方へ拡開する空間Ｓが形成されることになり、つまり、万一、例えば砂が通水間隙Ｌを通過してしまった場合、この砂が巻線７間の途中で詰まるよりは積極的に通水孔２へ送られるようにするための構造である。
【００２０】
また、ストレーナ体１は、その端部に他のストレーナ体１やストレーナ体１に継合され、ストレーナ体１とともに井戸内壁面を構成するケーシングパイプ４などの管体と継合するための継合管３が連設されている。
【００２１】
この継合管３は、図２に図示したように鋼製の管部材であり、ストレーナ体１の両端部に被嵌され、この被嵌した部位をリベット８で止着してストレーナ体１に連結されている。
【００２２】
また、本実施例は、図１に図示したように他のストレーナ体１やケーシング４などの管体の端部に連設した他の継合管３と溶接することで継合している。
【００２３】
本実施例は上述のように構成したから、地下に形成された掘削穴ｈへの配設後、ストレーナ体１はＦＲＰ製や塩化ビニール製などの絶縁性を有する部材で構成されている為、このストレーナ体１に地中において電蝕が起きることはなく、従来のような交換等の作業が不要となり、ランニングコストも安く済むことになる。
【００２４】
また、本実施例は、例えば一のストレーナ体１と他のストレーナ体１との継合部位を金属製の継合管３同志の継合とすることで、例えば単なる絶縁性を有する部材からなるストレーナ体１同志の継合とした場合に比し、この継合部位の強度が飛躍的に向上し得ることになる。
【００２５】
また、本実施例は、例えばストレーナ体１同志の継合が金属製の継合管３同志の溶接により行われるから継合作業（設置作業が）が迅速且つ堅固に行われることになる。
【００２６】
また、本実施例は、ストレーナ体１の通水孔１ａを設けた部位の周囲にまくら線６と巻線７とから成る濾過体５を配設したから、極めて良好な濾過機能を発揮することになる。
【００２７】
尚、本発明は、本実施例に限られるものではなく、各構成要件の具体的構成は適宜設計し得るものである。
【００２８】
【発明の効果】
本発明は上述のように構成したから、地下に形成された掘削穴への配設後、ストレーナ体はＦＲＰ製や塩化ビニール製などの絶縁性を有する部材で構成されている為、このストレーナ体に地中において電蝕が起きることがなく、従来のような交換等の作業が不要となり、ランニングコストも安く済むことになり、そして、ストレーナ体は他の管体との同志の継合が金属製の継合管同志を継合して行われる為、この継合部位の強度が飛躍的に向上することになるなど極めて商品価値の高い画期的なストレーナとなる。
【００２９】
また、請求項２記載の発明においては、前記請求項１記載の発明の作用効果に加え、良好な濾過機能を発揮する極めて商品価値の高い画期的なストレーナとなる。
【図面の簡単な説明】
【図１】  本実施例の使用状態説明図である。
【図２】  本実施例に係る要部の説明断面図である。
【図３】  本実施例に係る要部の説明断面図である。
【図４】  本実施例に係る要部の説明断面図である。
【符号の説明】
ｈ  掘削穴
１  ストレーナ体
２  揚水装置
３  管材
４  ケーシングパイプ
５  濾過体
６  第一線材
７  第二線材
【図１】
0003673739.tif 000002
【図２】
0003673739.tif 000003
【図３】
0003673739.tif 000004
【図４】
0003673739.tif 000005